(57)【要約】【課題】  デジタルカメラで撮影した画像、スキャナで読み込んだ画像、持参した記録媒体に記録されている画像データ、装置に予め保存してある画像等と、可変情報を含むフレームをプリントする画像プリントシステムを提供する。【解決手段】  画像処理装置１０１の画像データ読込手段１１１は、原稿１２１、記録媒体１２２、デジタルカメラ１２３等から画像データを読み込み、画像データベース１１５に保存する。画像編集合成手段は、顧客データベース１１７内の顧客毎に対応する画像データを画像データベース１１５から、フレームデータをフレームデータベース１１６から読み出し、合成し、印刷手段１１３で印刷する。【選択図】  図１
2005123936.tif 000002
【特許請求の範囲】
【請求項１】
画像データを入力する入力手段と、
入力情報を保持する保持手段と、
前記画像データと前記入力情報を合成して合成データを生成する合成手段と、
前記合成データを印刷出力する出力手段と、
を具備することを特徴とする画像プリントシステム。
【請求項２】
前記入力情報は、可変情報、前記可変情報と前記画像データとの関連付け、前記可変情報の出力形式を有することを特徴とする請求項１記載の画像プリントシステム。
【請求項３】
前記入力情報は、コンピュータから入力、あるいは、サーバからダウンロードすることを特徴とする請求項１記載の画像プリントシステム。
【請求項４】
前記入力手段は、記録媒体から前記画像データを読み出す記録媒体読み出し手段、原稿を走査して前記画像データを取得する原稿読み取り手段、被写体を撮像することにより前記画像データを取得する撮像手段、デジタルカメラから前記画像データを読み出すデジタルカメラ読み出し手段、のうちの少なくともいずれか一つの手段を有することを特徴とする請求項１記載の画像プリントシステム。
【請求項５】
前記出力手段は、前記出力形式に従って前記可変情報をフレームとして出力することを特徴とする請求項２記載の画像プリントシステム。
【請求項６】
コンピュータを請求項１記載の画像プリントシステムとして機能させるプログラム。
【請求項７】
コンピュータを請求項１記載の画像プリントシステムとして機能させるプログラムを記録する記録媒体。
【発明の詳細な説明】
【技術分野】
【０００１】
本発明は、デジタルカメラで撮影した画像、スキャナで読み込んだ画像、持参した記録媒体に記録されている画像データ、装置に予め保存してある画像等と、可変情報を含むフレームをプリントする画像プリントシステム等に関する。
【背景技術】
【０００２】
従来、顔写真等の撮影後、フレームを選択して文字等の入力し、撮影した画像等を所定の文字、記号、番号を共に印刷する写真プリント装置がある。（例えば、特許文献１参照）
【０００３】
【特許文献１】特開２００１−２９３９３８号公報
【発明の開示】
【発明が解決しようとする課題】
【０００４】
しかしながら、上記の方法ではプリント処理毎にフレームに表示する文字等の情報を入力する必要がある。また、同一画像でフレームを変更して、あるいは、フレーム内に表示する文字等の情報を変更して複数枚プリントする場合、手間がかかり、労力的負担、時間的負担等が生じるという問題点がある。
【０００５】
本発明は、このような問題に鑑みてなされたもので、その目的とするところは、デジタルカメラで撮影した画像、スキャナで読み込んだ画像、持参した記録媒体に記録されている画像データ、装置に予め保存してある画像等と、可変情報を含むフレームをプリントする画像プリントシステムを提供することにある。
【課題を解決するための手段】
【０００６】
前述した目的を達成するために本発明は、画像データを入力する入力手段と、入力情報を保持する保持手段と、前記画像データと前記入力情報を合成して合成データを生成する合成手段と、前記合成データを印刷出力する出力手段と、を具備することを特徴とする画像プリントシステムである。
【０００７】
入力情報は、氏名、日付、サービス名等の可変情報、可変情報と画像データとの関連付け、可変情報の出力形式を有する。これらの入力情報は、コンピュータから入力したり、サーバからダウンロードする。
【０００８】
画像プリントシステムは、記録媒体から画像データを読み出したり、スキャナを用いて原稿を走査して画像データを取得したり、あるいは、被写体を撮像したり、デジタルカメラから画像データを読み出すことにより、画像データを入力する。
【０００９】
画像プリントシステムは、入力した画像データと予め保持しているフレームデータ、可変情報を合成し、出力形式に従って可変情報を含むフレームをプリントする。
【発明の効果】
【００１０】
本発明によれば、デジタルカメラで撮影した画像、スキャナで読み込んだ画像、持参した記録媒体に記録されている画像データ、装置に予め保存してある画像等と、可変情報を含むフレームをプリントする画像プリントシステムを提供することができる。
【発明を実施するための最良の形態】
【００１１】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１２】
最初に、図１を参照しながら、本発明の実施の形態に係る画像プリントシステム１００の構成について説明する。
図１は、画像プリントシステム１００の構成を示すブロック図である。
【００１３】
画像プリントシステム１００は、画像処理装置１０１等により実現される。
画像処理装置１０１は、画像データ読込手段１１１、画像編集合成手段１１２、印刷手段１１３、顧客データ編集手段１１４、画像データベース１１５、フレームデータベース１１６、顧客データベース１１７等を備える。
【００１４】
画像データ読込手段１１１は、原稿１２１をスキャナ装置等の原稿読取装置により読み取ったり、予め画像データが記録された記録媒体１２２から読み取ったり、デジタルカメラ１２３に保存された画像データを読み取ることより、画像データを取得する。
記録媒体１２２は、例えば、スマートメディア、コンパクトフラッシュ（登録商標）カード（ＣＦカード）、フレキシブルディスク、ＰＣカード、ＣＤ−ＲＯＭ（Compact Disc Read Only Memory）等である。
デジタルカメラ１２３は、例えば、ＵＳＢ（Universal Serial Bus）を介して画像処理装置１０１と接続する。
【００１５】
画像編集合成手段１１２は、一つ以上の入力または選択した画像データに対して、フレームデータ等の合成編集等を対話的に行う対話型インタフェース手段と、画像処理プログラムで構成される。加工や合成編集に扱う画像データとしては、フレームデータベース１１６に存在するフレーム画像データ等を用いる。
【００１６】
印刷手段１１３は、高解像度カラープリンタである。昇華型あるいはインクジェット型などの方式は問わない。
【００１７】
顧客データ編集手段１１４は、顧客データベース１１７からフレーム内に表示する文字等の情報を読み出し、編集する。
【００１８】
次に、図２を参照しながら、画像処理装置１０１の概略構成について説明する。
図２は、画像処理装置１０１のハードウエア構成を示す図である。
【００１９】
画像処理装置１０１は、制御部２０１、記憶装置２０２、入力部２０３、各種メディア入出力部２０４、表示部２０５、印刷部２０６が、バス２０７を介して接続される。
【００２０】
制御部２０１は、プログラムの実行を行うＣＰＵ（Central Processing Unit）と、プログラム命令あるいはデータを格納するためのＲＯＭ（Read Only Memory）、ＲＡＭ（Random Access Memory）等のメモリから構成される。制御部２１は、画像処理装置１０１全体の動作を制御する。
【００２１】
記憶装置２０２は、画像処理装置１０１の動作に必要となるプログラム、データ等を保存している。各プログラムコードは、制御部２０１により必要に応じて読み出されてＲＡＭに移され、ＣＰＵに読み出されて各種の手段として実行される。
【００２２】
入力部２０３は、キーボード、マウス等の入力装置で、フレームデータベース１１６、顧客データベース１１７等の入力する際に用いる。
【００２３】
メディア入出力部２０４は、スマートメディア、ＣＦ、フレキシブルディスク、ＰＣカード、ＣＤ−ＲＯＭ等の記録媒体１２２のドライブで、記録媒体１２２からのデータを読み出し、書き込みを行う。
【００２４】
表示部２０５は、ＣＲＴ（Cathode-Ray Tube）あるいはＬＣＤ（Liquid Crystal Display）等の表示装置である。
印刷部２０６は、高解像度カラープリンタで、ユーザからの要求により画像データ、フレームの印刷を行う。
【００２５】
次に、図３、４を参照しながら画像データベース１１５の詳細を説明する。
図３は、画像データベース１１５の詳細を示す図、図４は、画像データベース１１５の画像グループデータ３０２の１例を示す図である。
【００２６】
図３に示すように、画像データベース１１５は、画像処理装置１０１の記憶装置内にあり、画像データ読込手段１１１が原稿１２１、記録媒体１２２、デジタルカメラ１２３等から読み込んだ画像データ３０１−１〜３０１−ｎと、画像グループデータ３０２を有する。
【００２７】
画像グループデータ３０２は、画像データ３０１−１〜３０１−ｎと、顧客が属するグループを示すグループコード４０２の対応付けを示すデータである。
図４に示すように、画像グループデータ３０２は、画像ファイル名４０１とグループコード４０２を有する。各画像ファイル名４０１には、それぞれ一つのグループコードが対応付けられている。
顧客に渡されるフレーム合成写真は、顧客が属するグループのグループコード４０２と対応付けられた画像ファイルとフレームを合成して印刷する。
【００２８】
次に、図５、６を参照しながらフレームデータベース１１６を説明する。
図５は、フレームデータベース１１６の詳細を示す図、図６は、フレームデータを印刷したフレームの１例を示す図である。
【００２９】
図５に示すように、フレームデータベース１１６は複数の書込みパターン５０１を有する。
各書込みパターン５０１は、フレーム内に表示する項目数５１０と、表示する各項目の項目名５１１を有する。
【００３０】
各項目名５１１は、それぞれ、フレーム内に各項目を表示するためのデータとして、開始位置Ｘ座標５２１、開始位置Ｙ座標５２２、フォントタイプ５２３、フォントサイズ５２４、フォント色５２５等を有する。
【００３１】
項目数５１０が「２」で、項目名１  ５１１−１が「サービス名」、項目名２  ５１１−２が「日付」の場合、フレームは図６に示すように、「サービス名」として項目１  ６０１−１「×××工場見学」と、「日付」として項目２  ６０１−２「２００３．７．２３」が、それぞれ開始位置Ｘ座標５２１、開始位置Ｙ座標５２２、フォントタイプ５２３、フォントサイズ５２４、フォント色５２５で指定された書式で、フレーム６００内に印刷される。
【００３２】
次に、図７、８を参照しながら顧客データベース１１７の顧客データ７００の詳細について説明する。
図７は、顧客データベース１１７の顧客データ７００の詳細を示す図、図８は、顧客データベース１１７のデータの１例を示す図である。
【００３３】
図７に示すように、顧客データベース１１７の顧客データ７００は、氏名７０１、日付７０２、サービス名７０３、グループコード４０２、書込みパターン５０１を有する。
【００３４】
氏名７０１は、顧客の氏名である。
日付７０２は、写真を撮影した日付である。
サービス名７０３は、例えば、「×××工場見学」、「××様披露宴」というように写真を撮影したサービスの名前を示す。
顧客毎に、顧客が写真を写したグループを示すグループコード４０２と、フレームデータの書込みパターン５０１を指定する。
【００３５】
図８に示すように、例えば、氏名７０１が「鈴木×××」の顧客データは、日付７０２が「２００３．７．２３」、サービス名７０３が「×××工場見学」、グループコード４０２が「Ａ−１」、書込みパターン５０１が「ウ」となっている。
【００３６】
次に、図９、１０、１１を参照しながら、画像処理装置１０１の動作について説明する。
図９は、画像処理装置１０１の動作を示すフローチャート、図１０は、画像データとフレームを合成した写真の１例を示す図、図１１は、画像データとフレームを合成した写真の１例を示す図である。
【００３７】
画像処理装置１０１の制御部２０１は、予め、画像データ読込手段に従って、原稿１２１、記録媒体１２２、デジタルカメラ１２３等から画像データを読み込み、画像データベース１１５に保存する。このとき、画像データ毎にグループコード４０２を対応付ける。
また、画像処理装置１０１の制御部は、顧客データ編集手段１１４に従って、顧客データベース１１７の編集を行っておく。
【００３８】
画像処理装置１０１の制御部２０１は、画像編集合成手段１１２に従って、顧客データベース１１６から一つの顧客データ７００を読み出す（ステップ９０１）。
【００３９】
画像処理装置１０１の制御部２０１は、画像編集合成手段１１２に従って、画像データベース１１５の画像グループデータ３０２から、顧客データ７００のグループコード４０２に対応する画像ファイル名４０１を検索し、検索した画像ファイル名４０１を持つ画像データ３０１を読み出す（ステップ９０２）。
【００４０】
画像処理装置の制御部２０１は、画像編集合成手段１１２に従って、顧客データ７００の書込みパターン５０１に対応する書込みパターンの項目数５１０、項目名５１１と、項目毎の開始位置Ｘ座標５２１、開始位置Ｙ座標５２２、フォントタイプ５２３、フォントサイズ５２４、フォント色５２５を読み出し（ステップ９０３）、読み出した書込みパターン５０１と、顧客データ７００の氏名７０１、日付７０２、サービス名７０３を適宜用いて、フレームを作成する（ステップ９０４）。
【００４１】
例えば、図１０、１１に示すように、項目１としてサービス名である「×××工場見学」、項目２として日付である「２００３．７．２３」を表示したフレーム１００２、項目１としてサービス提供会社名である「×××ＷＥＤＤＩＮＧ」、項目２としてサービス名である「××様ご試着」を表示したフレーム１１０２を作成する。
【００４２】
画像処理装置１０１の制御部２０１は、画像編集合成手段１１２に従って、ステップ９０２で読み出した画像データ３０１と、ステップ９０４で作成したフレームを合成する（ステップ９０５）。
例えば、画像１００１とフレーム１００２を合成した写真１０００、画像１１０１とフレーム１１０２を合成した写真１１００を作成する。
【００４３】
画像処理装置１０１の制御部２０１は、印刷部２０６により合成した写真を印刷処理し、他に印刷すべき写真があるかどうか判定し（ステップ９０７）、あればステップ９０１に戻って処理を繰り返す。なければ、処理を終了する。
【００４４】
本実施形態によれば、デジタルカメラで撮影した画像、スキャナで読み込んだ画像、持参した記録媒体に記録されている画像データ、装置に予め保存してある画像等と、可変情報を含むフレームをプリントする画像プリントシステムを提供することができる。
【００４５】
以上、添付図面を参照しながら、本発明に係る画像プリントシステム等の好適な実施形態について説明したが、本発明は前述した実施の形態に限定されない。
当業者であれば、特許請求の範囲に記載された技術的思想の範疇内において各種の変更例または修正例に想到し得ることは明らかであり、それらについても当然に本発明の技術的範囲に属するものと了解される。
【００４６】
例えば、前述した実施形態では画像処理装置は既に撮影した原稿１２１や、記録媒体１２２あるいはデジタルカメラ１２３の画像データを使用するとしたが、画像処理装置を店舗内や街頭に設置し、デジタルカメラ等で撮像するようにしたり、表示画面上のタッチパネルを介して、画像データ及びフレームデータの入力、出力等の操作を行うようにしてもよい。
また、氏名、日付、サービス名等の入力情報は、コンピュータから入力したり、サーバからダウンロードしてもよい。
【図面の簡単な説明】
【００４７】
【図１】画像プリントシステム１００の構成を示すブロック図
【図２】画像処理装置１０１のハードウエア構成を示す図
【図３】画像データベース１１５の詳細を示す図
【図４】画像データベース１１５の画像グループデータ３０２の１例を示す図
【図５】フレームデータベース１１６の詳細を示す図
【図６】フレームデータを印刷したフレームの１例を示す図
【図７】顧客データベース１１７の顧客データ７００の詳細を示す図
【図８】顧客データベース１１７のデータの１例を示す図
【図９】画像処理装置１０１の動作を示すフローチャート
【図１０】画像データとフレームを合成した写真の１例を示す図
【図１１】画像データとフレームを合成した写真の１例を示す図
【符号の説明】
【００４８】
１００………画像プリントシステム
１０１………画像処理装置
１０３………写真
１１１………画像データ読込手段
１１２………画像編集合成手段
１１３………印刷手段
１１４………顧客データ編集手段
１１５………画像データベース
１１６………フレームデータベース
１１７………顧客データベース
１２１………原稿
１２２………記録媒体
１２３………デジタルカメラ
【図１】
2005123936.tif 000003
【図２】
2005123936.tif 000004
【図３】
2005123936.tif 000005
【図４】
2005123936.tif 000006
【図５】
2005123936.tif 000007
【図６】
2005123936.tif 000008
【図７】
2005123936.tif 000009
【図８】
2005123936.tif 000010
【図９】
2005123936.tif 000011
【図１０】
2005123936.tif 000012
【図１１】
2005123936.tif 000013